(57)【要約】【課題】組立性およびメンテナンス性を向上させるとともに、省エネルギーで高効率な空調装置を備える建築構造物の空調構造を提供する。【解決手段】内部に空洞を有する外壁体２によって室内空間を画成する建築構造物において、冷媒を半液化状態に圧縮する圧縮機２４と、この圧縮機２４で圧縮した冷媒を液化状態に凝縮する凝縮器１７と、この凝縮器１７で凝縮した冷媒を気化させる蒸発器１５と、この蒸発器１５に、室内３から吸い込んだ空気を通過させて、室内３に送風する送風機１３とからなる空調装置１を備え、この空調装置１により室内３の室温を調整し、外壁体２には、室内３の空気と室外４との空気を入れ換える換気部３９を有し、この外壁体２に空調装置１を縦列配置した。【選択図】図４
2013047588.tif 000002
【特許請求の範囲】
【請求項１】
内部に空洞を有する外壁体によって室内空間を画成し、前記室内空間の温度調節を行う空調装置を備え、
前記空調装置は、冷媒を半液化状態に圧縮する圧縮機と、
該圧縮機で圧縮した前記冷媒を液化状態に凝縮する凝縮器と、
該凝縮器で凝縮した前記冷媒を気化させる蒸発器と、
該蒸発器に、前記室内から吸い込んだ空気を通過させて、前記室内へ送風する送風機とから構成する建築物の空調構造において、
前記外壁体の上部には、空気の吸引口および吐出口と、前記送風機および前記蒸発器とを設けた温度調節部を備え、
前記外壁体には、前記圧縮機を取付け、
前記温度調節部を備える前記外壁体の下方であって、前記外壁体の内部には、前記凝縮器を設置し、
さらに、前記外壁体には、該外壁体内に連通する、室内空気の吸引口を設置するとともに、前記吸引口に換気ファンを設置したことを特徴とする建築構造物の空調構造。
【請求項２】
前記外壁体には、前記換気ファンにより吸引した前記室内空間の空気を外方に排出する排出口および外気を前記室内空間に吸引する吸引口を形成した換気部を設けるとともに、前記吸引口の近傍に吸引ファンを取付け、
前記換気部には、熱交換部を備えることを特徴とする、請求項１に記載の建築構造物の空調構造。
【発明の詳細な説明】
【技術分野】
【０００１】
本発明は、空調装置により室内空間の温度調整を行う建築構造物の空調構造に関し、より詳細には、室内空間は内部に空洞を有する外壁体によって画成され、外壁体の上部には空気の吸込口および吐出口を形成した空調ケースを取付けるとともに、この外壁体に空調装置を設置した室内空気の換気設備を有する建築構造物の空調構造に関する。
【背景技術】
【０００２】
戸建住宅等の建築構造物には、室内空間の温度調節を行う空調装置を備えるものが多い。この空調装置は、周知のように、冷媒を半液化状態に圧縮する圧縮機や、この圧縮機で圧縮した冷媒を液化状態に凝縮する凝縮器、この凝縮器で凝縮した冷媒を気化させる蒸発器などからなり、室内空間から吸い込んだ空気を、蒸発器に通過させて冷却などし、室内空間に送風して戻すことで、室内空間の室温を調整するものである。
【０００３】
ここで、戸建住宅等の建築構造物では、室内環境の改善と省エネルギー化を図るために、建築構造物の壁面等に室内外の温度差によるエネルギー損失を減らすための断熱材の設置がされている。また、建築構造物の壁を二重構造とし、内壁と外壁との隙間に空気を循環させることによって冷暖房の効率を高める技術も知られている。このような建築構造物と空調装置とを組み合わせた空気循環構造を有する建築物は種々あり、内部に空洞を有する外壁体に空調装置を設置した構成のものもある。
【０００４】
例えば、特許文献１（特開２０１０−５４１６７）では、二重壁構造のテントにおいて、内壁と外壁との隙間に空気を循環させるとともに、その隙間に空調装置の一部を設置するものである。
【０００５】
また、特許文献２（特開平０８−３３４２５７）では、二重壁構造の住宅において、室内側にも室外側にも突出しないように内壁と外壁との隙間に空調装置を設置した構成の空調構造である。
【先行技術文献】
【特許文献】
【０００６】
【特許文献１】特開２０１０−５４１６７号公報
【特許文献２】特開平０８−３３４２５７号公報
【発明の概要】
【発明が解決しようとする課題】
【０００７】
しかし、特許文献１のような空調構造においては、これら空調装置は室内機と室外機を有することから、空調装置の設置スペースが多く必要となり、スペースの無駄が発生していた。また、室内機と室外機を連結した距離を有する配管（冷媒流路）により、冷媒の熱損失や、配管部材の無駄な使用によるコストアップとなる問題がある。そして、特許文献２のような空調構造においては、凝縮器における冷媒の冷却には、凝縮器ファンを用いて高温の外気で行っていたため、冷媒の冷却効率が悪く、凝縮器ファンの使用コストもかかるという問題もあった。また、戸建住宅等の建築構造物の気密性は高くなる一方、化学物質が放出される住宅建材が使用されたり、空調装置の普及によって窓を開放することでの換気の減少などが室内空気の汚れに繋がっているので、戸建住宅等の建築構造物に室内空気を換気する設備を設置することが必須となっている。従って、このような換気設備によって、冷却された室内空気が室外へ排出されるため、空調効率の低下が問題ともなっている。
【０００８】
従って、この発明の目的は、省エネルギーで高効率な空調装置を備える建築構造物の空調構造を提供するものである。
【課題を解決するための手段】
【０００９】
このため、請求項１に記載の発明は、内部に空洞を有する外壁体によって室内空間を画成し、前記室内空間の温度調節を行う空調装置を備え、前記空調装置は、冷媒を半液化状態に圧縮する圧縮機と、該圧縮機で圧縮した前記冷媒を液化状態に凝縮する凝縮器と、該凝縮器で凝縮した前記冷媒を気化させる蒸発器と、該蒸発器に、前記室内から吸い込んだ空気を通過させて、前記室内へ送風する送風機とから構成する建築物の空調構造において、前記外壁体の上部には、空気の吸引口および吐出口と、前記送風機および前記蒸発器とを設けた温度調節部を備え、前記外壁体には、前記圧縮機を取付け、前記温度調節部を備える前記外壁体の下方であって、前記外壁体の内部には、前記凝縮器を設置し、さらに、前記外壁体には、該外壁体内に連通する、室内空気の吸引口を設置するとともに、前記吸引口に換気ファンを設置したことを特徴とする。
【００１０】
請求項２に記載の発明は、請求項１に記載の建築構造物の空調構造において、前記外壁体には、前記換気ファンにより吸引した前記室内空間の空気を外方に排出する排出口および外気を前記室内空間に吸引する吸引口を形成した換気部を設けるとともに、前記吸引口の近傍に吸引ファンを取付け、前記換気部には、熱交換部を備えることを特徴とする。
【発明の効果】
【００１１】
請求項１に記載の発明によれば、内部に空洞を有する外壁体によって室内空間を画成し、室内空間の温度調節を行う空調装置を備え、空調装置は、冷媒を半液化状態に圧縮する圧縮機と、該圧縮機で圧縮した冷媒を液化状態に凝縮する凝縮器と、該凝縮器で凝縮した冷媒を気化させる蒸発器と、該蒸発器に、室内から吸い込んだ空気を通過させて、室内へ送風する送風機とから構成する建築物の空調構造において、外壁体の上部には、空気の吸引口および吐出口と、送風機および蒸発器とを設けた温度調節部を備え、外壁体には、圧縮機を取付け、温度調節部を備える外壁体の下方であって、外壁体の内部には、凝縮器を設置し、さらに、外壁体には、外壁体内に連通する、室内空気の吸引口を設置するとともに、吸引口に換気ファンを設置したので、室外機設置のスペースを省き、室外機と連結する配管を不要とすることで、冷媒の熱損失を防ぐとともに、部品点数を削減できる。また、室外機の廃止により、蒸発器と圧縮機間の距離を短くして圧縮機を外壁体に設置できるため、圧縮機を小型化させることができる。
【００１２】
請求項２に記載の発明によれば、外壁体には、換気ファンにより吸引した室内空間の空気を外方に排出する排出口および外気を室内空間に吸引する吸引口を形成した換気部を設けるとともに、吸引口の近傍に吸引ファンを取付け、換気部には、熱交換部を備えるので、室内の冷却された空気を外壁体を介して屋外へ排出させる際、外壁体に設置した凝縮器に誘導して、凝縮器内の冷媒の冷却風に用いることで、従来のように凝縮器ファンを別途必要とせず、凝縮器内の冷媒を効率的に冷却させることができる。従って、省エネルギーで高効率な建築構造物の空調構造を提供することができる。また、蒸発器で生成された結露水を凝縮器の冷媒通路配管表面に滴下させて管内の冷媒を効率的に冷却する際に発生した水蒸気を排出口から効果的に外方に排出できるので、結露水による水蒸気が外壁体内の空調装置へ悪影響を及ぼすことがない。さらに、室内空間の空気の換気のために高温外気を取り込む際、室内冷却空気との熱交換により、室内にある程度冷却された外気を取り込むことができ、冷却効率を落とすことなく室内を冷却させることができる。従って、省エネルギーで高効率な建築構造物の空調構造を提供することができる。
【図面の簡単な説明】
【００１３】
【図１】本発明の一例を示す、建築構造物の空調構造の側面模式図である。
【図２】空調装置の取付けを例示する室内側からの斜視図である。
【図３】外壁体およびパネルからなる一側面を例示する外壁体の斜視図である。
【図４】本発明の一例を示す、建築構造物の空調構造の側面拡大模式図である。
【図５】蒸発器、凝縮器、圧縮器およびドレンパンの斜視図である。
【図６】蒸発器、凝縮器およびドレンパンの斜視図である。
【図７】空調装置の他の構成例を示す側面模式図である。
【図８】熱交換部の構成例を示す斜視図である。
【図９】凝縮器上部ドレンパンの斜視図である。
【発明を実施するための形態】
【００１４】
以下、図面を参照しつつ、この発明を実施するための最良の形態について詳述する。図１は本発明の一例を示す、建築構造物の空調構造の側面模式図、図２は空調装置の取付けを例示する室内側からの斜視図、図３は外壁体およびパネルからなる一側面を例示する外壁体の斜視図、図４は本発明の一例を示す、建築構造物の空調構造の側面拡大模式図、図５は蒸発器、凝縮器、圧縮器およびドレンパンの斜視図、図６は蒸発器、凝縮器およびドレンパンの斜視図、図７は空調装置の他の構成例を示す側面模式図、図８は熱交換部の構成例を示す斜視図、図９は凝縮器上部ドレンパンの斜視図である。
【００１５】
建築構造物には、戸建住宅や集合住宅、あるいはオフィスや倉庫などであって、木造又は鉄筋による（限定されない）ものがあり、その建築構造物の空調構造は、例えば図１に示すように、室内側壁６と室外側壁７とにより内部に空洞を有する外壁体２によって室内空間３を画成し、室内空間３の温度調節を行う空調装置１を備えるものである。また、室内側壁６と室外側壁７は支柱や梁などを使って地面５から立ち上げられており、その壁の上部室内側に形成される天井８を備え、閉ざされた室内空間３を画成している。
【００１６】
また、図１〜４に示すように、外壁体２には、室内３から室外４へ空気を排出するための、換気吸引口２９が室内側壁６に、排気排出口３４が室外側壁７に備えられおり、換気吸引口の前の換気ファン３１によって室内空気を外壁体２の内部の空洞を通して排出することが可能となっている。また、室外４から室内３へ空気を吸引するための、吸気吸引口３５が室外側壁７に、吸気排出口３６が室内側壁６に備えられており、吸気吸引口３５と吸気排出口３６とは換気ダクト３８で連結されている。換気吸引口２９、排気排出口３４、換気ファン３１、吸気排出口３６などから換気部３９が構成される。このような構成によって室内空気の換気を可能としている。なお、吸気排出口３６の前に室外空気を吸引するためにファンを設置してもよく、室内の空気を外壁体２の内部空洞を通して排出するとともに、室外空気を室内に取り込むことが可能であれば、室内空気を換気する換気部３９の構成は上記に限定されずに、任意に設計することができる。
【００１７】
そして、空調装置１は、図１に示すように、外壁体２の室内側壁６と外壁体２の内部空間に取付ける空調ユニット１０と、室外側壁７に取付けるコンプレッサーユニット１１とから構成される。
【００１８】
この空調ユニット１０は、上部から順に、送風機１３と、ダクト１４と、蒸発器１５と、蒸発器下部ドレンパン１６と、凝縮器上部ドレンパン１８と、凝縮器１７と凝縮器下部ドレンパン１９からなるもので、空調ケース１２内にある送風機１３とダクト１４と蒸発器１５とは一体的に室内側壁６にボルトなどの締結具で取付けることができ、凝縮器１７上部のドレンパン１８と、凝縮器１７と凝縮器１７下部のドレンパン１９は外壁体２の内部空間にボルトなどの締結具で取付けることができ、これら空調ユニット１０は縦列配置した構成とされる。なお、蒸発器１５から発生する結露水を下方の凝縮器１７へ流せることと、外壁体２の内部空間に設置するために、空調ユニット１０を薄型形状にしたものであれば、空調装置１を構成する各機器の設置順は、上記に限定されず、任意に設計することができる。
【００１９】
送風機１３は、吐出口２３の室内側壁６側に取付けられ、室内空間３の空気を、吸引口２２を介して吸い込むとともにダクト１４内を蒸発器１５に向けて誘導し、蒸発器１５から吐出口２３を介して室内空間３に吹き出させるものであり、周知のクロスフロー式を用いることができる。なお、送風機１３は、ダクト１４に内装されている。
【００２０】
次に、ダクト１４内の下部であって、吐出口２３の室内側壁６側に設置した蒸発器１５は、図５に示したように、凝縮器１７で凝縮した冷媒を気化させる周知のものであり、蒸発器１５のケース内に冷媒の通路管１５aを、例えば蛇行的に配置（限定しない）し、上述したようにダクト１４内を通過してきた空気が、蒸発器１５の通路管１５aに接触する際、冷媒の気化に伴い空気から熱を奪うことで、空気を冷却させるものである。なお、蒸発器１５は、ダクト１４に内設されている。
【００２１】
次に、蒸発器１５の下方に設置した蒸発器１５下部のドレンパン１６は、蒸発器１５の幅より大きく、ドレン２０を介して凝縮器１７上方に設置したドレンパン１８に連結しており、前記ドレンパン１８は、凝縮器の幅に略等しい幅を有し、図９に示すように、天面を開放するとともに、底面には、複数の孔ｈを形成した、直方体のステンレス製などの容器であり、蒸発器１５から生成する結露水を下方の凝縮器１７に滴下させるものである。
【００２２】
また、ドレンパン１８の下方に設置した凝縮器１７は、コンプレッサーユニット１１で圧縮した冷媒を液化状態に凝縮する周知のものであるが、本願発明の凝縮器１７では、この凝縮器１７を外壁体２の内部空間にあって、上下方向に長い形状とすることができる。このため、凝縮器１７のケース内に、冷媒の通路管１７aを上下方向１列に蛇行的に配置させることが可能となり、凝縮器１７の奥行きのサイズを小さくできることで、凝縮器１７を薄型形状にしたものである。
【００２３】
そして、凝縮器１７の下方に設置したドレンパン１９は、凝縮器１７の幅に略等しい幅を有し、天面を開放した、直方体のステンレス製などの容器であり、直上の凝縮器１７から滴下する結露水を捕集するものである。
【００２４】
次に、コンプレッサーユニット１１は、冷媒を半液化状態に圧縮する圧縮機２４および冷媒中の水分や不純物を除去するレシーバ２７などからなるそれぞれ周知のもので、室外側壁７にステー２８などを介してボルトなどの締結具で取付けることができる。振動で外れることがないように固定されていることと、コンプレッサーユニットの動作音と振動を吸収するものであれば、上記に限定されず、任意に設計することができる。例えば、外壁体２の内部空間や天井上空間への設置である。
【００２５】
そして、圧縮機２４は、レシーバ２７を介して凝縮器１７の通路管１７aに配管２５で接続されるとともに、凝縮器１７の通路管１７aは、蒸発器１５の通路管１５aに接続され、この通路管１５aは、前記圧縮機２４の配管２６に接続される。
【００２６】
さらに、本願発明の空調ユニット１０では、ドレンパン１９から室外へ結露水を排水するドレン２１が接続されている。
【００２７】
また、室外側壁７には着脱可能な室外側パネル９が、外壁体２内に設置された空調ユニット１０をカバーする範囲で設置されている。
【００２８】
このような構成にすることで、外壁体２への空調ユニット１０の取付けが容易になるとともに、外壁体２への空調ユニット１０設置位置の自由度を上げることができる。特に、外壁体２の内部空間に、空調ユニット１０を構成する大部分の装置を備えることとなり、この室外側壁７に着脱可能な室外側パネル９を設置させることで、空調ユニット１０のエアコンのメンテナンスなどを行う際には、その作業を容易に行うことができる。従って、組立性およびメンテナンス性を向上した建築構造物の空調構造を提供することができる。なお、この着脱可能なパネルは室内側壁６に、もしくは室外側壁７と室内側壁６の両側に設定してもよい。
【００２９】
ここで、室内の暖まった空気を冷却（温度調節）する場合には、図４〜５に示すように、送風機１３が、室内３の空気を、吸引口２２を介して吸い込むとともにダクト１４内を蒸発器１５に向けて誘導し、この空気を蒸発器１５の通路管１５aに接触させる。そして、蒸発器１５において、通路管１５aを流れる凝縮した液体冷媒を気化させる際、冷媒の気化潜熱により通過させた空気が冷却され、この冷却された空気が送風機１３により吐出口２３を介して室内３に戻される。
【００３０】
このとき、蒸発器１５の通路管１５aでは、液体冷媒の気化に伴い結露水が発生するため、通路管１５aから滴下するこれら結露水が、蒸発器１５の下方に設置したドレンパン１６内に捕集される。
【００３１】
一方、蒸発器１５で気化した冷媒は、配管２６を介して圧縮機２４内に導入され、この圧縮機２４で圧縮されて高温高圧の半液体状態となり、レシーバ２７および配管２５を介して凝縮器１７に導入される。
【００３２】
凝縮器１７では、図９に示すように、上方のドレンパン１８底部全般に亘り形成した複数の孔ｈから通路管１７aの長さ方向に均等に分散滴下する結露水により、通路管１７a内を流れる上述した半液体状態の冷媒が冷却されて、さらに冷媒の液化が進み、この液体冷媒が通路管１５aを介して蒸発器１５内に導入される。
【００３３】
なお、本願の空調構造では、凝縮器１７における通路管１７a内での冷媒の冷却には、上述した結露水を用いるとともに、換気ファン３１により外壁体２に吸引した室内空間３の空気も用いられる。これは、図４に示すように、換気ファン３１により着脱自在な換気フィルター３２を介して外壁体２に吸引した室内空間３の空気が凝縮器１７内に吹き込んでくるため、室内空間３の空気を結露水とともに通路管１７aに接触させることで、より効率的に通路管１７a内の冷媒を冷却させることができる。なお、換気フィルターは換気ファン３１の前面でも、凝縮器１７の側面周りに設置してもよい。
【００３４】
従って、従来のように凝縮器１７の前面に凝縮器ファンを設置する必要がなく、部品点数の削減および上述したように凝縮器を薄型形状にすることができ、凝縮器１７の外壁体２の内部空間への設置を可能とした。
【００３５】
また、凝縮器１７の通路管１７a上に滴下し、通路管１７a内の冷媒を冷却させた結露水は、さらに下方に滴下し、ドレンパン１９内に捕集されるとともに、これら結露水は、ドレンパン１９内からドレン２１を経由して室外４へ排水される。
【００３６】
このような構成にすることで、蒸発器１５で生成された結露水を、ドレンパン１８を介してこの蒸発器１５の下方に位置する凝縮器１７の冷媒通路管表面に滴下させて通路管１７a内の冷媒を効率的に冷却することができる。
【００３７】
なお、上述の例では、ドレンパン１９内に捕集された結露水は、ドレン２１を経由して室外４へ排水されるが、これら結露水は、ドレンパン１９内から図示しないポンプによりドレンパン１８へ連結された配管を介してドレンパン１８内に循環搬送してもよい。
【００３８】
また、ドレンパン１８の底部には、複数の孔ｈを形成したので、蒸発器１５から滴下し、蒸発器１５の下方に設置したドレンパン１６内に捕集された結露水を、ドレンパン１８を介して、凝縮器１７における通路管１７aの長さ方向に均等に分散滴下させて、通路管１７a内の冷媒を効率的に冷却することができる。
【００３９】
つまり、凝縮器１７の冷媒冷却に用いた結露水は、その一部が蒸発するとともに、ドレンパン１９内からドレン２１を経由して室外４へ排水されるため、ドレンパン１９内の結露水の水量を増加させることなく、ドレンパン１９からの結露水の流出を防ぎ、空調装置１の故障を防止するとともに、建築構造物の腐食も防止することができる。
【００４０】
さらに、凝縮器１７は、通路管１７aを上下方向１列に配置したので、凝縮器１７の奥行きを狭くして、外壁体２の内部空間に取付け可能とするとともに、換気ファン３１により外壁体２に吸引した室内空間３の空気が通路管１７aの間隙を確実に通過でき、冷媒を効率よく冷却させることができる。
【００４１】
なお、上述の例では、ドレンパン１８の底部に、結露水を滴下させるための複数の孔ｈを形成したが、これら孔ｈの形成に限定されず、例えば、図示しない噴霧ノズルなどを設置することで、結露水を凝縮器１７に均等に散布して、凝縮器１７の冷媒を効率的に冷却させることができる。
【００４２】
なお、上述の例では、空調ユニット１０を、平面の外壁体２の内部空間へ設置したが、空調ユニット１０および室内側壁６のパネルもしくは図示しない室外側壁７のパネルはこの位置に限定されず、外壁体２コーナー部の内部空間に取付けることもできる。この場合、空調ユニット１０を構成する、送風機１３、ダクト１４、蒸発器１５、ドレンパン１６、凝縮器１７、ドレンパン１８、ドレンパン１９は、それぞれ中途部を外壁体２コーナー角（略直角）に合わせて曲折させればよい。さらには、コーナー角を中心に上述した空調ユニット１０を分割配置させてもよい。
【００４３】
また、コンプレッサーユニット１１は、上述の例では、空調ユニット１０と離して、室外側壁７にステー２８などを介して設置したが、この位置に限定されず、例えば、地面や天井内の空間に設置したり、あるいは外壁体２の内部空間に、空調ユニット１０とともに取付けてもよい。
【００４４】
次に、図７に示すように、空調ユニット１０の構成部品を全て外壁体２に設置することもできる。具体的には、送風機１３、ダクト１４、蒸発器１５を外壁体２内に設置してもよい。このような構成にすることで、室内空間３への空調装置１の突出はなくなり、室内の見栄えを向上することもできる。
【００４５】
また、空調ケース１２内の送風機１３、ダクト１４、蒸発器１５、吸引口２２、吐出口２３の構成を変えることもできる。例えば、ダクト内において、吸引口の前面から多少離れた位置に、上述したクロスフロー式の送風機を設置し、この送風機の直下であって、吐出口の前面に蒸発器を設置してもよい。
【００４６】
また、ダクト内において、吐出口の前面に蒸発器を設置するとともに、この蒸発器のさらに前面にアキシャルファンなどの送風機を設置する。なお、この場合、吸引口と吐出口が上下に隣接しており、室内空気のショートサーキットを防止するため、吸引口のルーバを上方向、吐出口のルーバを下方向にそれぞれ向けて設置することが好ましい。
【００４７】
また、ダクト内において、吸込口の前面にアキシャルファンなどの送風機を設置するとともに、吹出口の前面に蒸発器を設置してもよい。
【００４８】
そして、換気部３９の構成は、図４に示すように、凝縮器１７上方の外壁体２の室内側壁６に換気吸引口２９が、凝縮器１７下方の外壁体２の室外側壁７に排気排出口３４がそれぞれ設置されているが、室内空間３の空気が凝縮器１７を通過し、通路管１７a内の冷媒を冷却する構成であればこの位置には限定されず、例えば、凝縮器１７の全面部に鉛直方向もしくは水平方向に開口を持つ形状で複数設けてもよい。また、換気ファン３１は、換気吸引口２９の前に設置してあるが、排気排出口３４の前に、もしくは両側に設置してもよい。また、図３に示すように、室外４から室内３へ空気を吸引するための、吸気吸引口３５の前に、または吸気排出口３６の前に、もしくはその両方に換気ファンを設置してもよい。従って、この換気部３９の設置位置は、適宜設計可能とするものである。さらに、これら換気部３９の構成機器はそれぞれ複数設定してもよい。
【００４９】
また、本願の空調構造では、換気部３９に熱交換部３７を備えるもので、高温外気を取り込む際、室内３の冷却した空気との熱交換により、室内３に外気より温度の低い空気を取り込むことができ、冷却効率を落とすことなく室内を冷却できる。この熱交換部37は、例えば図８に示すように、外壁体２内（室内３）の空気を室外４へ排気する排気部と室外４の空気を室内３に取り込む吸気部とを隣り合わせの位置に設置する。室内３の空気は排気吸引口３３から熱交換部３７を通過し排気排出口３４から室外４へ排気される。
【００５０】
室外４の空気は吸気吸引口３５から熱交換部３７を通過し吸気排出口３６から室内３に吸気される。室外４へ排気される室内３の空気は空調装置によって室外４の空気より冷却されているため、この熱交換部３７によって、室外４の空気を、室内３の空気空気に接触させて熱交換により冷却させた後、室内３に吸気する。従って、冷却効率を落とすことなく室内を冷却させることができる。なお、前記熱交換部３７は、周知のものである静止型全熱交換器や回転型全熱交換器などを用いることができる。
【００５１】
以上のような構成にしても、上述同様の効果を得ることができ、組立性およびメンテナンス性を向上させるとともに、省エネルギーで高効率な建築構造物の空調構造を提供することができる。
【００５２】
なお、上述の空調装置では、室内の空気を冷却する例を説明したが、この空調装置は、室内の空気を暖めることもできるが、周知の技術であるため、その説明は省略する。
【００５３】
以上詳述したように、本願発明の建築構造物の空調構造は、内部に空洞を有する外壁体２によって室内空間を画成し、冷媒を半液化状態に圧縮する圧縮機２４と、この圧縮機２４で圧縮した冷媒を液化状態に凝縮する凝縮器１７と、この凝縮器１７で凝縮した冷媒を気化させる蒸発器１５と、この蒸発器１５に、室内３から吸い込んだ空気を通過させて、室内３に送風する送風機１３とからなる空調装置１を備え、この空調装置１により室内３の室温を調整し、外壁体２には、室内３の空気と室外４との空気を入れ換える換気部３９を有し、この外壁体２に空調装置１を縦列配置したものである。
【産業上の利用可能性】
【００５４】
本発明は、空調装置１を備える、あらゆる建築構造物の空調構造に適用することができる。なお、この建築構造物の空調構造は、居住する建築構造物に限定されず、物品や食料などを保管する倉庫であってもよい。
【符号の説明】
【００５５】
１      空調装置
２      外壁体
３      室内
４      室外
５      地面
６      室内側壁
７      室外側壁
８      天井
９      室外側パネル
１０    空調ユニット
１１    コンプレッサーユニット
１２    空調ケース
１３    送風機
１４    ダクト
１５    蒸発器
１５a   通路管（蒸発器）
１６    ドレンパン（蒸発器下部）
１７    凝縮器
１７a   通路管（凝縮器）
１８    ドレンパン（凝縮器上部）
１９    ドレンパン（凝縮器下部）
２０    ドレン
２１    ドレン
２２    吸引口
２３    吐出口
２４    圧縮機
２５    配管
２６    配管
２７    レシーバ
２８    ステー
２９    換気吸引口
３０    換気排出口
３１    換気ファン
３２    換気フィルタ
３３    排気吸引口
３４    排気排出口
３５    吸気吸引口
３６    吸気排出口
３７    熱交換部
３８    換気ダクト
３９    換気部
ｈ      孔
【図１】
2013047588.tif 000003
【図２】
2013047588.tif 000004
【図３】
2013047588.tif 000005
【図４】
2013047588.tif 000006
【図５】
2013047588.tif 000007
【図６】
2013047588.tif 000008
【図７】
2013047588.tif 000009
【図８】
2013047588.tif 000010
【図９】
2013047588.tif 000011